(57)【要約】【課題】２つの形状を取り得る詰め物体を提供する。【解決手段】第１袋体１０及び第２袋体２０と、第１袋体１０／第２袋体２０に形成された第１開口部１５／第２開口部２５と、第１袋体１０及び／又は第２袋体２０の内部空間に収容される多数のビーズ４０とを有し、第１開口部１５と第２開口部２５とがファスナ３０を介して開閉可能に結合されている。ファスナ３０が開状態とされ第１袋体１０及び第２袋体２０の両内部空間がファスナ３０を挟んで相反する側に存在し両内部空間が連通する中立状態と、多数のビーズ４０及び第２袋体２０／第１袋体１０が第１袋体１０／第２袋体２０の内部空間に収容された状態でファスナ３０が閉状態とされることによって形成される第１袋体顕在状態／第２袋体顕在状態との間を変相可能である。【選択図】図２
2019063267.tif 000002
【特許請求の範囲】
【請求項１】
ともにほぼ閉じた内部空間を形成する第１袋体及び第２袋体と、
前記第１袋体に形成された第１開口部と、
前記第１開口部に対応して前記第２袋体に形成された第２開口部と、
前記第１袋体及び／又は前記第２袋体の内部空間に収容される多数の粒状物とを有し、
前記第１開口部と前記第２開口部とがファスナを介して開閉可能に結合され、
前記ファスナが開状態とされ、前記第１袋体の内部空間及び前記第２袋体の内部空間が当該ファスナを挟んで相反する側に存在し当該第１袋体の内部空間と当該第２袋体の内部空間が連通する中立状態と、
前記多数の粒状物及び前記第２袋体が前記第１袋体の内部空間に収容された状態で前記ファスナが閉状態とされることによって形成される第１袋体顕在状態と、
前記多数の粒状物及び前記第１袋体が前記第２袋体の内部空間に収容された状態で前記ファスナが閉状態とされることによって形成される第２袋体顕在状態と
の間を変相可能である、ダブル詰め物体。
【請求項２】
請求項１に記載のダブル詰め物体であって、
前記ファスナは、当該ファスナを開閉操作するための操作部として第１操作部及び第２操作部を有し、
前記第１操作部は、前記第２袋体が前記第１袋体の内部空間に収容された状態で当該第１袋体の外側に位置し、
前記第２操作部は、前記第１袋体が前記第２袋体の内部空間に収容された状態で当該第２袋体の外側に位置する、
ダブル詰め物体。
【請求項３】
請求項１又は請求項２に記載のダブル詰め物体であって、
前記第１袋体は、その少なくともほぼ充填状態においてほぼ球状となる形状を有し、
前記第２袋体は、その少なくともほぼ充填状態においてほぼＵ字状となる形状を有している、
ダブル詰め物体。
【発明の詳細な説明】
【技術分野】
【０００１】
本発明は、クッション，枕等の詰め物体に関するものである。
【背景技術】
【０００２】
クッション，枕（ネックピローを含む）等の詰め物体は、袋体の内部空間に、多数の粒状物やスポンジ等の詰め物が収容されて形成されている。
そして、詰め物体の形状は、その袋体の形状に由来する。
【０００３】
ところで、使用者としては、複数の形状の詰め物体を所有したい場合がある。その場合は、従来は、複数の形状の詰め物体を各々購入する必要がある。
【０００４】
しかしながら、複数の形状の詰め物体を各々購入する場合は、基本的にコスト高となる。また、複数の形状の詰め物体を各々所有すると、その分、大きなスペースをとることとなり、邪魔となる。
【０００５】
なお、本発明に関連する先行技術として、特許文献１に記載されているものがある。
【先行技術文献】
【特許文献】
【０００６】
【特許文献１】特開２０１２−６７４２９号公報
【発明の概要】
【発明が解決しようとする課題】
【０００７】
本発明は、２つの形状を取り得る詰め物体を提供することを課題とする。
【課題を解決するための手段】
【０００８】
この課題を解決するために、請求項１に係る発明は、ともにほぼ閉じた内部空間を形成する第１袋体及び第２袋体と、前記第１袋体に形成された第１開口部と、前記第１開口部に対応して前記第２袋体に形成された第２開口部と、前記第１袋体及び／又は前記第２袋体の内部空間に収容される多数の粒状物とを有し、前記第１開口部と前記第２開口部とがファスナを介して開閉可能に結合され、前記ファスナが開状態とされ、前記第１袋体の内部空間及び前記第２袋体の内部空間が当該ファスナを挟んで相反する側に存在し当該第１袋体の内部空間と当該第２袋体の内部空間が連通する中立状態と、前記多数の粒状物及び前記第２袋体が前記第１袋体の内部空間に収容された状態で前記ファスナが閉状態とされることによって形成される第１袋体顕在状態と、前記多数の粒状物及び前記第１袋体が前記第２袋体の内部空間に収容された状態で前記ファスナが閉状態とされることによって形成される第２袋体顕在状態との間を変相可能である、ダブル詰め物体である。
【０００９】
この発明のダブル詰め物体では、次のように使用され、次のような作用効果が得られる。
中立状態において、多数の粒状物及び第２袋体が第１開口部を通して第１袋体内に収容され、ファスナが閉じられて第１開口部が閉状態とされることによって、第１袋体顕在状態に変相される。また、その逆によって、第１袋体顕在状態から中立状態に変相される。
同様に、中立状態において、多数の粒状物及び第１袋体が第２開口部を通して第２袋体内に収容され、ファスナが閉じられて第２開口部が閉状態とされることによって、第２袋体顕在状態に変相される。また、その逆によって、第２袋体顕在状態から中立状態に変相される。
そして、この発明のダブル詰め物体では、中立状態を介して、第１袋体顕在状態と第２袋体顕在状態との間を容易に変相され得る。
こうして、この発明のダブル詰め物体では、容易に２つの形状を取り得ることとなるのである。
【００１０】
請求項２に係る発明は、請求項１に係る発明のダブル詰め物体であって、前記ファスナは、当該ファスナを開閉操作するための操作部として第１操作部及び第２操作部を有し、前記第１操作部は、前記第２袋体が前記第１袋体の内部空間に収容された状態で当該第１袋体の外側に位置し、前記第２操作部は、前記第１袋体が前記第２袋体の内部空間に収容された状態で当該第２袋体の外側に位置する、ダブル詰め物体である。
【００１１】
この発明のダブル詰め物体では、請求項１に係る発明のダブル詰め物体の作用効果に加えて、次の作用効果が得られる。
すなわち、この発明のダブル詰め物体では、第２袋体が第１袋体の内部空間に収容された状態で第１操作部が第１袋体の外側に位置するため、第１操作部が操作されることによってファスナが開閉され、中立状態と第１袋体顕在状態との間の変相が容易に行われ得る。
一方、第１袋体が第２袋体の内部空間に収容された状態で第２操作部が第２袋体の外側に位置するため、第２操作部が操作されることによってファスナが開閉され、中立状態と第２袋体顕在状態との間の変相が容易に行われ得る。
こうして、このダブル詰め物体では、第１袋体顕在状態と第２袋体顕在状態との間をより容易に変相され得る。
【００１２】
請求項３に係る発明は、請求項１又は請求項２に係る発明のダブル詰め物体であって、前記第１袋体は、その少なくともほぼ充填状態においてほぼ球状となる形状を有し、前記第２袋体は、その少なくともほぼ充填状態においてほぼＵ字状となる形状を有している、ダブル詰め物体である。
【００１３】
この発明のダブル詰め物体では、請求項１又は請求項２に係る発明のダブル詰め物体の作用効果に加えて、次の作用効果が得られる。
すなわち、この発明のダブル詰め物体では、第１袋体顕在状態においてほぼ球状となり、球状のクッション等として使用され得る。
一方、第２袋体顕在状態においてはほぼＵ字状となり、Ｕ字状のネックピロー等として使用され得る。
【図面の簡単な説明】
【００１４】
【図１Ａ】本発明の一実施例のダブル詰め物体（中立状態）を示す平面図である。
【図１Ｂ】本発明の一実施例のダブル詰め物体（中立状態）を示す縦断面図である。図１ＡにおいてＩＢ−ＩＢ線で仮想的に切断した断面図である。
【図１Ｃ】本発明の一実施例のダブル詰め物体（中立状態）の一部を示す拡大縦断面図である。図１Ｂの一部を拡大して示す図である。
【図１Ｄ】本発明の一実施例のダブル詰め物体（中立状態）の一部を拡大して示す斜視図である。
【図２】本発明の一実施例のダブル詰め物体を示す分解斜視図である。
【図３】本発明の一実施例のダブル詰め物体（第１袋体顕在状態）を示す図である。（ａ）は側面図であり、（ｂ）は背面図である。
【図４】本発明の一実施例のダブル詰め物体（第２袋体顕在状態）を示す図である。（ａ）は正面図であり、（ｂ）は平面図であり、（ｃ）は斜視図である。
【図５Ａ】本発明の一実施例のダブル詰め物体が中立状態から第１袋体顕在状態に変相する状態を示す断面図である。（ａ）は初期の段階を示す全体図であり、（ｂ）はその次の段階を示す全体図であり、（ｃ−１）は最後の段階を示す全体図である。（ｃ−２）は（ｃ−１）の一部を拡大して示す図である。
【図５Ｂ】本発明の一実施例のダブル詰め物体が中立状態から第２袋体顕在状態に変相する状態を示す断面図である。（ａ）は初期の段階を示す全体図であり、（ｂ）はその次の段階を示す全体図であり、（ｃ−１）は最後の段階を示す全体図である。（ｃ−２）は（ｃ−１）の一部を拡大して示す図である。
【図６】本発明の一実施例のダブル詰め物体（第１袋体顕在状態）の一使用方法を示す図である。
【発明を実施するための形態】
【００１５】
次に、本発明の一実施例について、図面に基づいて説明する。
図１Ａ，図１Ｂ，図２等に示すように、このダブル詰め物体５０は、第１袋体１０，第２袋体２０，ファスナ３０，多数のビーズ４０（粒状物）を有している。
第１袋体１０と第２袋体２０とは、ファスナ３０を介して結合されている。多数のビーズ４０（図１Ｂ，図２）は、第１袋体１０及び／又は第２袋体２０の内部空間に収容されている。
【００１６】
そして、このダブル詰め物体５０は、中立状態（図１Ａ〜図１Ｄ）をベースに、ほぼ球状のクッション（第１袋体顕在状態）（図３）と、ほぼＵ字状のネックピロー（第２袋体顕在状態）（図４）との間を変相可能である。
中立状態（図１Ａ〜図１Ｄ）においては、第１袋体１０と第２袋体２０とは、ファスナ３０（全開状態）を挟んで相反する側に存在し、両袋体１０，２０の内部空間は連通状態にある。
第１袋体顕在状態（図３）においては、第１袋体１０の内部空間に、第２袋体２０（図２）及びすべてのビーズ４０（図２）が収容されている。
第２袋体顕在状態（図４）においては、第２袋体２０の内部空間に、第１袋体１０（図２）及びすべてのビーズ４０（図２）が収容されている。
【００１７】
第１袋体１０（図１Ａ，図１Ｂ等）は、布材によって形成され、大きな可撓性を有している。
図３及び図５Ａ（ｃ−１）に示すように、第１袋体１０は、その内部空間がほぼ充填された状態（第１袋体顕在状態）で、ほぼ球状の形状を呈する。第１袋体１０は、そのように形成されている。
より詳細に形状を説明すると、次のとおりである。
図３に示すように、第１袋体顕在状態において、第１袋体１０は、団栗の形状を模した形状（かなり丸みを加えられている）を有し、その上部には、葉の形状を模した装飾が設けられている。また、同じくその上部には、いわゆるカニカンフック１４が設けられている。
【００１８】
図２及び図３に示すように、第１袋体１０は第１開口部１５（切れ目）を有している。第１開口部１５は、第１袋体１０（第１袋体顕在状態）の背面におけるほぼ中央高さ位置（最も大径の部分）において、水平に一巡する円周のほぼ４分の１の長さに相当する切れ目が形成されることによって、形成されている。
この第１開口部１５はファスナ３０によって開閉可能である。
【００１９】
第２袋体２０（図１Ａ，図１Ｂ等）も、布材によって形成され、大きな可撓性を有している。
図４及び図５Ｂ（ｃ−１）に示すように、第２袋体２０は、その内部空間がほぼ充填された状態（第２袋体顕在状態）で、ほぼＵ字状の形状を呈する。第２袋体２０は、そのように形成されている。
より詳細に形状を説明すると、次のとおりである。
図２及び図４に示すように、第２袋体顕在状態において、第２袋体２０は、ほぼ楕円形の断面を有し、ほぼＵ字状（馬蹄形状）をなすように湾曲している。その湾曲する長さ方向に沿って別の見方をすると、ほぼ水平に延びるベース部２１と、その両端部から下方に延びる一対の下垂部２２を有している。
【００２０】
図４に示すように、第２袋体２０も第２開口部２５（切れ目）を有している。第２開口部２５は、ベース部２１の上面において、ベース部２１の長さ方向に沿って切れ目が形成されることによって、形成されている。
この第２開口部２５はファスナ３０によって開閉可能である。
【００２１】
第１袋体１０の第１開口部１５（図２）と第２袋体２０の第２開口部２５（図２）とは対応している。すなわち、両開口部１５，２５の大きさ（切れ目の長さ）は同一である。
図１Ａ〜図１Ｃ，図２に示すように、両開口部１５，２５は、１つのファスナ３０（線ファスナ）を介して結合されている。
図２等に示すように、ファスナ３０は、可撓性を有する一対のテープ部３１ａ，３１ｂを有している。図１Ｃ，図２等に示すように、各テープ部３１ａ，３１ｂは、第１袋体１０の第１開口部１５を形成する切れ目を挟んだ一対の当該切れ目の近傍部分に結合されるとともに、第２袋体２０の第２開口部２５を形成する切れ目を挟んだ一対の当該切れ目の近傍部分に結合されている。
【００２２】
図１Ｄ及び図２等に示すように、ファスナ３０の一対のテープ部３１ａ，３１ｂのうち、その本来的に相互に対向する側の縁部に、各々エレメント３２ａ，３２ｂが設けられている。
図１Ｄ等に示すように、ファスナ３０はスライダ３３を有している。スライダ３３は、両エレメント３２ａ，３２ｂの間において両エレメント３２ａ，３２ｂの長さ方向に移動し、これによって両エレメント３２ａ，３２ｂが結合・分離される。
スライダ３３には、２つの操作部（引き手）として、第１操作部３６ａ，第２操作部３６ｂが設けられている。
【００２３】
さらに詳細に説明すると、図１Ｄに示すように、スライダ３３は一対の平板部（第１平板部３４ａ，第２平板部３４ｂ）を有し、両平板部３４ａ，３４ｂの間において左右一対の溝部３５ａ，３５ｂが形成されている。そして、各溝部３５ａ，３５ｂを各エレメント３２ａ，３２ｂが相対的に通過することによって、両エレメント３２ａ，３２ｂが結合・分離されるのである。
図１Ａ，図１Ｃ，図１Ｄに示すように、第１操作部３６ａ／第２操作部３６ｂは、その各基端部において、第１平板部３４ａ／第２平板部３４ｂに各々結合されている。
【００２４】
図１Ｂ等に基づいて前述したように、中立状態のダブル詰め物体５０においては、第１袋体１０と第２袋体２０とは、全開状態のファスナ３０を挟んで相反する側に存在し、両袋体１０，２０の内部空間は、その全開状態のファスナ３０（一対のテープ部３１ａ，３１ｂの間の隙間）を介して連通状態にある。
【００２５】
同じく前述したように、ファスナ３０（図２等）のテープ部３１ａ，３１ｂは可撓性を有し、種々の姿勢を取り得る。
図１Ｄに示すように、中立状態のダブル詰め物体５０において、ファスナ３０のうちの両端部及びその近傍においては、両テープ部３１ａ，３１ｂは、両エレメント３２ａ，３２ｂが対向する姿勢をしている。
一方、図１Ｃに示すように、ファスナ３０のうちの中央部分を含む大半部分においては、両テープ部３１ａ，３１ｂは、両エレメント３２ａ，３２ｂが相反する姿勢をしている。
【００２６】
また、第１袋体顕在状態（図３）等、第２袋体２０が第１袋体１０の内部空間に収容された状態で、第２操作部３６ｂは第１袋体１０の内部に位置し、第１操作部３６ａは第１袋体１０の外側に位置して露出する。
一方、第２袋体顕在状態（図４）等、第１袋体１０が第２袋体２０の内部空間に収容された状態で、第１操作部３６ａは第２袋体２０の内部に位置し、第２操作部３６ｂは第１袋体２０の外側に位置して露出する。
【００２７】
次に、このダブル詰め物体５０の使用方法及び作用効果について説明する。
前述したように、このダブル詰め物体５０は、中立状態（図１Ａ〜図１Ｄ）をベースに、第１袋体顕在状態（図３）と、第２袋体顕在状態（図４）との間を変相可能である。
【００２８】
中立状態（図１Ａ〜図１Ｄ）から第１袋体顕在状態（図３）には、使用者によって、次のように変相される。
まず、図１Ｂ→図５Ａ（ａ）に示すように、第２袋体２０の内部空間に存在していたビーズ４０（その全て又はほとんど）が、第１袋体１０の内部空間に収容される。
すなわち、図１Ｂに示すように、ファスナ３０が全開状態であることによって全開状態とされている第２袋体２０の第２開口部２５及び第１袋体１０の第１開口部１５を通して、多数のビーズ４０が第２袋体２０内から第１袋体１０内に移動される。
【００２９】
次に、図５Ａ（ａ）→（ｂ）に示すように、第２袋体２０が縮小状態とされ、その第２袋体２０が、第１袋体１０の内部空間に収容される。
すなわち、第１袋体１０の第１開口部１５（図１Ｂ）を通して、縮小状態の第２袋体２０が第１袋体１０内に移動される。
【００３０】
次に、図５Ａ（ｂ）→（ｃ−１）及び（ｃ−２）に示すように、ファスナ３０によって、第１袋体１０の第１開口部１５が閉状態とされる。
すなわち、それまで開状態（両エレメント３２ａ，３２ｂが分離状態）であったファスナ３０において、第１操作部３６ａ（図３）が操作され、ファスナ３０が閉状態（両エレメント３２ａ，３２ｂが結合状態）とされ、第１袋体１０の第１開口部１５が閉状態とされる。
【００３１】
こうして、第１袋体１０の内部空間にすべてのビーズ４０及び第２袋体２０が収容されて、第１袋体１０がほぼ充填状態とされ、第１袋体顕在状態（図３）とされる。
【００３２】
また、第１袋体顕在状態（図３）から中立状態（図１Ａ〜図１Ｄ）には、上述と逆にして変相される。
【００３３】
一方、中立状態（図１Ａ〜図１Ｄ）から第２袋体顕在状態（図４）には、上述とは逆に、使用者によって、次のように変相される。
まず、図１Ｂ→図５Ｂ（ａ）に示すように、第１袋体１０の内部空間に存在していたビーズ４０（その全て又はほとんど）が、第２袋体２０の内部空間に収容される。
すなわち、図１Ｂに示すように、ファスナ３０が全開状態であることによって全開状態とされている第１袋体１０の第１開口部１５及び第２袋体２０の第２開口部２５を通して、多数のビーズ４０が第１袋体１０内から第２袋体２０内に移動される。
【００３４】
次に、図５Ｂ（ａ）→（ｂ）に示すように、第１袋体１０が縮小状態とされ、その第１袋体１０が、第２袋体２０の内部空間に収容される。
すなわち、第２袋体２０の第２開口部２５（図１Ｂ）を通して、縮小状態の第１袋体１０が第２袋体２０内に移動される。
【００３５】
次に、図５Ｂ（ｂ）→（ｃ−１）及び（ｃ−２）に示すように、ファスナ３０によって、第２袋体２０の第２開口部２５が閉状態とされる。
すなわち、それまで開状態（両エレメント３２ａ，３２ｂが分離状態）であったファスナ３０において、第２操作部３６ｂ（図３）が操作され、ファスナ３０が閉状態（両エレメント３２ａ，３２ｂが結合状態）とされ、第２袋体２０の第２開口部２５が閉状態とされる。
【００３６】
こうして、第２袋体２０の内部空間にすべてのビーズ４０及び第１袋体１０が収容されて、第２袋体２０がほぼ充填状態とされ、第２袋体顕在状態（図４）とされる。
【００３７】
また、第２袋体顕在状態（図４）から中立状態（図１Ａ〜図１Ｄ）には、上述と逆にして変相される。
【００３８】
以上においては、便宜的に中立状態（図１Ａ〜図１Ｄ）を基準に説明したが、実際のところ、中立状態は変相の際の途中の状態である。
すなわち、第１袋体顕在状態（図３）と第２袋体顕在状態（図４）との間の変相は、中立状態（図１Ａ〜図１Ｄ）を介して、次のように行われる。
【００３９】
第１袋体顕在状態（図３）から第２袋体顕在状態（図４）に変相される際は、次のとおりである。
まず、図５Ａ（ｃ−１）及び（ｃ−２）→（ｂ）に示すように、ファスナ３０が開状態とされ、第１袋体１０の第１開口部１５及び第２袋体２０の第２開口部２５（いずれも図２Ｂ参照）が開状態とされる。
次に、図５Ａ（ｂ）→（ａ）に示すように、第１袋体１０の第１開口部１５（図２Ｂ参照）を通して、第１袋体１０の内部空間から第２袋体２０が取り出される。
次に、図５Ａ（ａ）→図１Ｂ→図５Ｂ（ａ）に示すように、第１袋体１０の第１開口部１５及び第２袋体２０の第２開口部２５（いずれも図１Ｂ参照）を通して、それまで第１袋体１０の内部空間に存在していたビーズ４０が第２袋体２０の内部空間に移動される。
そして、それ以降は、図５Ｂ（ｂ）→（ｃ−１）及び（ｃ−２）に基づいて前述したようにされ、第２袋体顕在状態（図４）とされる。
【００４０】
一方、第２袋体顕在状態（図４）から第１袋体顕在状態（図３）に変相される際は、次のとおりである。
まず、図５Ｂ（ｃ−１）及び（ｃ−２）→（ｂ）に示すように、ファスナ３０が開状態とされ、第１袋体１０の第１開口部１５及び第２袋体２０の第２開口部２５（いずれも図１Ｂ参照）が開状態とされる。
次に、図５Ｂ（ｂ）→（ａ）に示すように、第２袋体２０の第２開口部２５（図１Ｂ参照）を通して、第２袋体２０の内部空間から第１袋体１０が取り出される。
次に、図５Ｂ（ａ）→図１Ｂ→図５Ａ（ａ）に示すように、第２袋体２０の第２開口部２５及び第１袋体１０の第１開口部１５（いずれも図１Ｂ参照）を通して、それまで第２袋体２０の内部空間に存在していたビーズ４０が第１袋体１０の内部空間に移動される。
そして、それ以降は、図５Ａ（ｂ）→（ｃ−１）及び（ｃ−２）に基づいて前述したようにされ、第１袋体顕在状態（図３）とされる。
【００４１】
以上のように、このダブル詰め物体５０は、容易に第１袋体顕在状態（図３）と第２袋体顕在状態（図４）との間を変相させることができる。
こうして、このダブル詰め物体５０は、第１袋体顕在状態（図３）において、団栗の形状を模した形状（かなり丸みを加えられている）のクッションとなるとともに、第２袋体顕在状態（図４）において、ほぼＵ字状のネックピローとなるのである。
なお、このダブル詰め物体５０は、第１袋体顕在状態（図３）においては、図６に示すように、カニカンフック１４においてバッグＢ（その持ち手Ｈ）等の種々の物品に対して取り付けられ得る。
【００４２】
また、このダブル詰め物体５０は、ファスナ３０を開閉させるためにスライダ３３を操作するためのものとして、前述したように、２つの操作部（第１操作部３６ａ，第２操作部３６ｂ）を有し、第１操作部３６ａはスライダ３３の第１平板部３４ａに設けられ、第２操作部３６ｂはスライダ３３の第２平板部３４ｂに設けられている。
【００４３】
これによって、第１袋体顕在状態（図３）等、第１袋体１０内部空間内に第２袋体２０が収容された状態においては、第１操作部３６ａが露出する（第１袋体１０の外側に位置する）。このため、ファスナ３０を開閉させる際は、第１操作部３６ａを操作すればよい。
また、第２袋体顕在状態（図４）等、第２袋体２０内部空間内に第１袋体１０が収容された状態においては、第２操作部３６ｂが露出する（第２袋体２０の外側に位置する）。このため、ファスナ３０を開閉させる際は、第２操作部３６ｂを操作すればよい。
【００４４】
こうして、いずれの状態においても、ファスナ３０の開閉（スライダ３３の移動）を操作するための操作部（第１操作部３６ａ，第２操作部３６ｂ）のうちの１つが第１袋体１０／第２袋体２０の外側に位置するため、ファスナ３０の開閉操作を容易に行うことができる。
【００４５】
なお、上記のものはあくまで本発明の一実施例にすぎず、当業者の知識に基づき種々の変更を加えた態様で本発明を実施できることはもちろんである。
【００４６】
例えば、第１袋体（１０），第２袋体（２０）の形状は上述とは異なり、第１袋体顕在状態，第２袋体顕在状態における形状が上述とは異なっていてもよい。
【符号の説明】
【００４７】
１０  第１袋体
１５  第１開口部
２０  第２袋体
２５  第２開口部
３０  ファスナ
３６ａ  第１操作部
３６ｂ  第２操作部
４０  ビーズ
５０  ダブル詰め物体
【図１Ａ】
2019063267.tif 000003
【図１Ｂ】
2019063267.tif 000004
【図１Ｃ】
2019063267.tif 000005
【図１Ｄ】
2019063267.tif 000006
【図２】
2019063267.tif 000007
【図３】
2019063267.tif 000008
【図４】
2019063267.tif 000009
【図５Ａ】
2019063267.tif 000010
【図５Ｂ】
2019063267.tif 000011
【図６】
2019063267.tif 000012